(57)【特許請求の範囲】
【請求項１】
前端には垂れ部を、後端には尻部を形成して葺設後に雨水が表面を流下する傾斜面と、左右に設置する平板瓦との重複部分であるアンダーラップ部とで少なくとも構成し、
前記傾斜面後端側には、中央から左右両端に亘って突条に形成される第一水返しを備えた平板瓦であって、
前記第一水返しの後方には、段状に形成される第二水返しを設け、前記第一水返しと前記第二水返しとの間に、底面が平坦な凹状の排水部が形成され、
前記第二水返しは、前段と、当該前段より段差が高い後段とを含んで後方へ向けて階段状に段差が高くなる多段構造を有し、
前記傾斜面上に載置した他の平板瓦の垂れ部先端から前記第一水返しまでの距離が、前記他の平板瓦の垂れ部の高さの半分以下となるように前記第一水返しを設置したことを特徴とする平板瓦。
【請求項２】
前記傾斜面の左右両端に水返しが設けられたことを特徴とする請求項１に記載の平板瓦。
【請求項３】
請求項１又は２に記載の平板瓦を、各前記平板瓦の傾斜面上に載置した他の前記平板瓦の垂れ部先端からその後方に位置する前記第一水返しまでの距離が、前記他の平板瓦の垂れ部の高さの半分以下となるように葺設したことを特徴とする平板瓦の瓦葺き構造。
【発明の詳細な説明】
【技術分野】
【０００１】
本発明は、家屋等の屋根に敷設する平板瓦及び平板瓦の瓦葺き構造に関するものである。
【背景技術】
【０００２】
従来より、緩勾配屋根に葺設する桟瓦（平板瓦）としては、瓦後端の尻部に、他の瓦先端の垂れ部を重ね、垂れ部裏面と尻部表面との間に空間を設け、垂れ部裏面に水返し突条を凸設することで雨水の浸入を阻止するものが知られている（特許文献１）。
【先行技術文献】
【特許文献】
【０００３】
【特許文献１】特開２００４−２９３２２８号公報
【発明の概要】
【発明が解決しようとする課題】
【０００４】
しかしながら、このように垂れ部裏面側に水返し突条を設けた平板瓦では、最も水が流れる位置に水返し突条を設置することが難しく、葺設後に雨水の流入を防ぐことが困難な構造であった。
【０００５】
そこで、本発明の目的は、上記従来の平板瓦の問題点を解消し、葺設後に雨水が流入することのない平板瓦及び平板瓦の瓦葺き構造を提供することにある。
【課題を解決するための手段】
【０００６】
本発明のうち、請求項１に記載された発明は、前端には垂れ部を、後端には尻部を形成して葺設後に雨水が表面を流下する傾斜面と、左右に設置する平板瓦との重複部分であるアンダーラップ部とで少なくとも構成し、
前記傾斜面後端側には、中央から左右両端に亘って突条に形成される第一水返しを備えた平板瓦であって、
前記第一水返しの後方には、段状に形成される第二水返しを設け、前記第一水返しと前記第二水返しとの間に、底面が平坦な凹状の排水部が形成され、
前記第二水返しは、前段と、当該前段より段差が高い後段とを含んで後方へ向けて階段状に段差が高くなる多段構造を有し、
前記傾斜面上に載置した他の平板瓦の垂れ部先端から前記第一水返しまでの距離が、前記他の平板瓦の垂れ部の高さの半分以下となるように前記第一水返しを設置したことを特徴とするものである。
【０００９】
請求項２に記載された発明は、請求項１に記載の発明に加え、前記傾斜面の左右両端に水返しが設けられたことを特徴とするものである。
【００１０】
請求項３に記載された発明は、請求項１又は２に記載の平板瓦を、各前記平板瓦の傾斜面上に載置した他の前記平板瓦の垂れ部先端からその後方に位置する前記第一水返しまでの距離が、前記他の平板瓦の垂れ部の高さの半分以下となるように葺設したことを特徴とする平板瓦の瓦葺き構造である。
【発明の効果】
【００１１】
請求項１及び３に記載された発明は、葺設後に雨水の流入を阻止する。更に、構造がシンプルであることから葺設が容易である。
【００１２】
さらに、階段状に形成される第二水返しは、雨水の流入をより一層強固に阻止する。
【００１３】
請求項２に記載された発明は、アンダーラップ部への雨水の流入を阻止する。
【図面の簡単な説明】
【００１４】
【図１】平板瓦を示す説明図である。
【図２】（ａ）は図１のＡ−Ａ断面を示し、（ｂ）はＢ−Ｂ断面を示す説明図である。
【図３】（ａ）は雨水を第一水返しで堰き止めた状態を、（ｂ）は雨水を第二水切り前段で堰き止めた状態を示し、（ｃ）は雨水を第二水切り前段で堰き止めた状態を示す説明図である。
【図４】平板瓦の変更例を示す説明図である。
【発明を実施するための形態】
【００１５】
以下、本発明の平板瓦の一実施形態について、図面に基づいて詳細に説明する。
【００１６】
図１は、平板瓦を示す説明図である。図２は、図１の平板瓦の断面を示す説明図である。図３は、雨水を堰き止めた状態を示す説明図である。
【００１７】
先ず初めに、図１に示すように、平板瓦１は家屋の屋根に葺設するもので、葺設後に雨水が表面を流下する傾斜面２と、左右に設置する平板瓦１，１との重複部分であるアンダーラップ部３とで構成される。
【００１８】
このうち、傾斜面２は、前端（図１の下側を前方とする。）には裏面側に向かって屈曲する垂れ部４が、尻部側には中央から左右両端に向かって伸びる突条の第一水返し５，５が設けられており、その後方には段状に形成される第二水返し６が設けられている。そして、第一水返し５，５の間と、第一水返し５と第二水返し６との間には、これらの間に浸入した雨水を垂れ部４内側から外側へ排出する排水部９が形成されている。また、傾斜面２の左右両端には、アンダーラップ部３に傾斜面２上を流下する雨水が流入することを阻止する突条の水返し１０，１０が設けられている。
【００１９】
次に、図２（ａ）に示すように、図１のＡ−Ａ断面では、第二水返し６は、第二水返し前段７とこの第二水返し前段７より段差が高い第二水返し後段８とを備えた多段構造に形成される一方、図２（ｂ）に示すように、図１のＢ−Ｂ断面では、第一水返し５，５の間が平坦に形成されている。
【００２０】
このようにして構成される平板瓦１による屋根２０への葺設は、以下のように行われる。但し、葺設方向で平板瓦を区別するために当該方向に沿って１ａ、１ｂ・・と符号を付す。各構成についても同様である。
先ず初めに、図３（ａ）に示すように、平板瓦１ａを屋根２０上に設置する。そして、この平板瓦１ａの傾斜面２ａに他の平板瓦１ｂを設置する。
この時、平板瓦１ｂの垂れ部４ｂは、葺設後に雨水１５が平板瓦１ａ，１ｂ間に流れ込まないようにするために、平板瓦１ａの第一水返し５ａより前方に設置する必要があるが、特に平板瓦１ｂの垂れ部４ｂ先端と、平板瓦１ａの第一水返し５ａとの距離Ｂが、平板瓦１ｂの垂れ部４ｂの高さＡの半分以下となるように設置する。以降、図示しない平板瓦１ｃ，１ｄ・・も同様に設置し列を形成する。この時、アンダーラップ部３上には、他の平板瓦１の列が重複するように設置することで、平板瓦１ａ，１ｂ・・が屋根２０上に葺設されることとなる。
【００２１】
次に、雨が降った時に、葺設した平板瓦１ａ，１ｂ間に雨水が浸入することを阻止する構造について説明する。
先ず初めに、雨が降った時には屋根２０が緩傾斜をしていることから、殆どの雨水は平板瓦１ｂの傾斜面２ｂ表面を流下し、垂れ部４ｂ先端から下段の平板瓦１ａへと流れ落ちた後、傾斜面２ａ表面を流下することとなる。
【００２２】
しかし、全ての雨水が垂れ部４ｂ先端から傾斜面２ａ上にそのまま流れ落ちる訳ではなく、そのうちの一部については垂れ部４ｂ内側に流入することがある。
この場合、図３（ａ）に示すように、雨水１５が、垂れ部４ｂ先端の内側に回り込むことになるが、平板瓦１ａには第一水返し５ａが設けられていることから、ここに堰き止められて第一水返し５ａを超えることができず、その後、傾斜面２ａ上を流下することとなる。
仮に、図３（ｂ）に示すように、雨水１５が第一水返し５ａの傾斜を超えたとしても、この第一水返し５ａの後方には、第二水返し前段７ａが設けられていることから、第二水返し前段７ａによって堰き止められることとなる。
そして、第二水返し前段７ａによって堰き止められた雨水１６が、第一水返し５ａと第二水返し前段７ａとの間に形成される排水部９ａに流れ込んだ後、傾斜面２上を図１の矢印が示す方向に流下することとなり、平板瓦１ｂの垂れ部４ｂ内側から外側へ排出される。
【００２３】
また、図３（ｃ）に示すように、雨水１５が第一水返し５ａだけでなく、更に第二水返し前段７ａを超えたとしても、第二水返し前段７ａの後方には、第二水返し前段７ａよりも高く形成した第二水返し後段８ａが設けられていることから、この第二水返し後段８ａにより、第二水返し前段７ａを超えた雨水１６が堰き止められることとなる。
そして、第二水返し後段８ａによって堰き止められた雨水１６が、第二水返し前段７ａ上を流下して排水部９ａに流れ込んだ後、雨水１６が第二水返し前段７ａによって堰き止められた場合と同様に、排水部９ａへと流れ込み、傾斜面２ａ上を図１の矢印が示す方向に流下することとなり、平板瓦１ｂの垂れ部４ｂ内側から外側へ排出される。
【００２４】
上記の如く構成される平板瓦１及び平板瓦１の瓦葺き構造は、傾斜面２ａに載置した平板瓦１ｂの垂れ部４ｂ先端から第一水返し５ａまでの距離が、平板瓦１ｂの垂れ部４ｂの高さの半分以下となるように第一水返し５ａを設置したことにより、葺設後に雨水１５の流入を阻止することが可能である。更に、構造がシンプルであることから葺設が容易である。
【００２５】
また、第一水返し５，５の後方には、段状に形成される第二水返し６を設け、第一水返し５と第二水返し６との間に凹状の排水部８が形成されたことにより、雨水１６の流入を阻止する。
【００２６】
更に、第二水返し６は、第二水返し前段７とこの第二水返し前段７より段差が高い第二水返し後段８とからなることにより、雨水１６の流入を阻止する。
【００２７】
他にも、傾斜面２両端に水返し１０，１０が設けられたことにより、アンダーラップ部３への雨水の流入を阻止する。
排出水を第一水返し５の内側に入れることを阻止する。
【００２８】
なお、本発明にかかる平板瓦は、上記した実施の形態に何ら限定されるものではなく、本発明の趣旨を逸脱しない範囲で適宜変更することができる。
【００２９】
例えば、第二水返し６は多段構造であるが、第二水返し前段７と第二水返し後段８とだけで構成する必要はなく、第二水返し後段８より高い段差を更に設けても良く、これらの間に形成される凹状の排水部９から雨水が排水される構造であれば適宜変更可能である。
【００３０】
また、図１に示すように、雨水１６の排水は、第一水返し５と第二水返し６との間から傾斜面２の後端側中央で矢印が示す方向から排水しているが、必ずこの方向から排水する必要はなく、第一水返し５と第二水返し６との間に流入した雨水１６を排水する構造であれば、他の位置から排水しても良く、適宜変更可能である。
【００３１】
他にも、図１に示すように、本発明の平面瓦１では、第一水返し５，５の間が平坦に形成されており、雨水１５を排水部９，９から矢印が示す方向に排水する構造としているが、図４に示すように、第一水返し５と第二水返し６とで後端側中央側の端部を繋いで堰１１，１１を設け、雨水１５が排水部９，９の左右両端へ流下する構造としても良く、適宜変更可能である。
この場合、左側の排水部９を流下する雨水１５は、アンダーラップ部３から排水され、右側の排水部９を流下する雨水１５は、図示しない隣に設置される平板瓦１のアンダーラップ部３から排水される。
【符号の説明】
【００３２】
１・・平板瓦、２・・傾斜面、３・・アンダーラップ部、４・・垂れ部、５・・第一水返し、６・・第二水返し、７・・第二水返し前段、８・・第二水返し後段、９・・排水部、１０・・水返し、１１・・堰、１５・・雨水、１６・・雨水、２０・・屋根。
【図１】
0006522310.tif 000002
【図２】
0006522310.tif 000003
【図３】
0006522310.tif 000004
【図４】
0006522310.tif 000005